(57)【要約】【課題】何度も書き込み可能なメモリと１回のみ書き込みが可能なメモリをユーザが使用する場合に使い勝手を向上させる。【解決手段】中央処理マイコン５は装着されているメモリカード１６がフラッシュメモリかライトワンスメモリかを判別し、ライトワンスメモリが装着されている場合には、操作部６の２段の静止画取り込みボタンの１段目が押されたときには画像取り込みを行ってプレビュー画を表示し、２段目が押されることなく１段目が離されたときには静止画データをメモリカードに書き込まない。【選択図】　　　　図６
2004064677.tif 000002
【特許請求の範囲】
【請求項１】
装着されている記録媒体が書き込み及び消去が可能な第１の記録媒体か、又は書き込みが１回のみ可能な第２の記録媒体かを判別する媒体種別判別手段と、
静止画データを取り込むための第１のスイッチと、
静止画データを前記記録媒体に書き込むための第２のスイッチと、
前記媒体種別判別手段により前記第２の記録媒体が装着されていると判別した場合、前記第１のスイッチが押された状態で画像の取り込みを行ってプレビュー画を表示し、前記第２のスイッチが押されたときには静止画データを前記第２の記録媒体に書き込み、前記第１のスイッチが押された状態で前記第２のスイッチが押されることなく前記第１のスイッチが離されたときには静止画データを前記第２の記録媒体に書き込まない制御手段とを、
備えたデジタルカメラ。
【請求項２】
前記第２の記録媒体が装着されていると判別した場合、バッテリの残量が少ないときには、静止画データの前記第２の記録媒体への書き込みを行わず、かつユーザに警告することを特徴とする請求項１に記載のデジタルカメラ。
【請求項３】
前記第２の記録媒体が装着されていると判別した場合、前記第１の記録媒体に対して使用可能な機能であって前記第２の記録媒体に対して使用不能な機能をユーザにメニュー表示することを特徴とする請求項１又は２に記載のデジタルカメラ。
【発明の詳細な説明】
【０００１】
【発明の属する技術分野】
本発明は、デジタルスチルカメラや、デジタルスチル画像を記録可能なビデオカメラなどのデジタルカメラに関する。
【０００２】
【従来の技術】
デジタルカメラの記録媒体としては、カメラから着脱自在であり、また、何度も書き込み及び消去が可能なフラッシュメモリが一般的である。ここで、フラッシュメモリは何度も書き込み及び消去が可能であるので便利な一方、高価であるので、代わりの安価な記録媒体として、１回のみ書き込みが可能なライトワンスメモリをフラッシュメモリと同じスロットに着脱自在に構成することが考えられる。
【０００３】
【発明が解決しようとする課題】
しかしながら、フラッシュメモリとライトワンスメモリを同じスロットに着脱自在に構成すると、ユーザにとってメモリの種別を間違い易く、また、ユーザがライトワンスメモリに間違って書き込みを行うと、そのライトワンスメモリに書き込みが行われたエリアは書き換え及び消去が不能となるという問題点がある。
【０００４】
本発明は上記の問題点に鑑み、何度も書き込み及び消去が可能なメモリと１回のみ書き込みが可能なメモリをユーザが使用する場合に使い勝手を向上させることができるデジタルカメラを提供することを目的とする。
【０００５】
【課題を解決するための手段】
本発明は上記目的を達成するために、記録媒体の判別を行い、書き込みが１回のみ可能な記録媒体が装着されていると判別した場合、第１のスイッチが押された状態で第２のスイッチが押されることなく第１のスイッチが離されたときには静止画データを記録媒体に書き込まないようにしたものである。
すなわち本発明によれば、装着されている記録媒体が書き込み及び消去が可能な第１の記録媒体か、又は書き込みが１回のみ可能な第２の記録媒体かを判別する媒体種別判別手段と、
静止画データを取り込むための第１のスイッチと、
静止画データを前記記録媒体に書き込むための第２のスイッチと、
前記媒体種別判別手段により前記第２の記録媒体が装着されていると判別した場合、前記第１のスイッチが押された状態で画像の取り込みを行ってプレビュー画を表示し、前記第２のスイッチが押されたときには静止画データを前記第２の記録媒体に書き込み、前記第１のスイッチが押された状態で前記第２のスイッチが押されることなく前記第１のスイッチが離されたときには静止画データを前記第２の記録媒体に書き込まない制御手段とを、
備えたデジタルカメラが提供される。
【０００６】
【発明の実施の形態】
以下、図面を参照して本発明の実施の形態について説明する。図１は本発明に係るデジタルカメラの一実施形態としてデジタルビデオカメラを示すブロック図、図２は図１のデジタルカメラのメモリカード種類判別処理を説明するためのフローチャート、図３は図１のデジタルカメラのメモリカード種類表示画面を示す説明図、図４は図１のデジタルカメラにおいてバッテリ残量が少ない場合の処理を説明するためのフローチャート、図５はバッテリ残量が少ない場合の表示画面を示す説明図、図６は図１のデジタルカメラの静止画データの書き込み処理を説明するためのフローチャートである。
【０００７】
＜動画記録再生動作＞
まず、図１を用いて、カメラにて撮影した動画像を磁気テープ１１に記録したり、磁気テープ１１に記録した動画像を再生する記録再生動作について説明する。なお、図１において、白抜き矢印は映像信号の流れを示しており、実線の矢印は制御信号の流れを示している。図１では、音声信号の流れについては図示を省略している。レンズ１からの被写体映像はＣＣＤ２によりアナログ映像信号に変換され、このアナログ映像信号はＡ／Ｄ変換器３によりデジタル映像信号に変換され、このデジタル映像信号は画像処理ＤＳＰ（デジタルシグナルプロセッサ）４に入力される。レンズ１からＡ／Ｄ変換器３までは、カメラ部ＣＭを構成している。
【０００８】
操作部６によって動画記録（録画）の指示がなされると、その指示信号は中央処理マイコン５に入力される。中央処理マイコン５は、ビデオカメラ全体を制御する制御部であり、画像処理ＤＳＰ４及びデッキ制御マイコン８に動画記録の指示がなされたことを示す制御信号を供給する。デッキ制御マイコン８は、磁気テープ１１への情報の記録再生を行うデッキ部ＤＫを制御する制御部である。
【０００９】
画像処理ＤＳＰ４は、Ａ／Ｄ変換器３より入力されたデジタル信号を、輝度（Ｙ）信号及び色差（Ｒ−Ｙ，Ｂ−Ｙ）信号に変換するとともに、ＡＧＣ（自動ゲイン制御）、ガンマ補正、セットアップなどの各種の信号処理を施して、ＤＶ信号処理ＤＳＰ７に入力する。本実施例では、ＤＶ規格に基づいたビデオカメラを例にしているが、これに限定されるものではない。また、本発明はビデオカメラのみならず、デジタルスチルカメラにも適用することができる。ＤＶ信号処理ＤＳＰ７は、入力された信号に圧縮処理やシャフリング処理などを施すとともに、トラッキング情報、サプコードエリアの情報、オーディオ記録形式の情報、タイムコード、日時情報などの各種の制御データを加え、ＤＶフオーマット信号としてプレレコーディングアンプ９に出力する。
【００１０】
プレレコーディングアンプ９は、入力された信号をＮＲＺＩ変調して複数個のヘッド１０に供給する。ヘッド１０は、図示していない回転ドラムに搭載されたものであり、ここでは簡略化のため、ヘッド１０を１つしか図示していない。ヘッド１０に供給された信号は、回転ドラムに巻き付けられた磁気テープ１１上に、トラック１１ａとして順次記録される。ＤＶ信号処理ＤＳＰ７からヘッド１０まではデッキ部ＤＫを構成している。
【００１１】
一方、操作部６によって、磁気テープ１１に記録された情報の再生の指示がなされると、ヘッド１０からの信号はプレレコーディングアンプ９で増幅されてＤＶ信号処理ＤＳＰ７に入力される。ＤＶ信号処理ＤＳＰ７は、入力された信号に対して伸長処理やデシャフリング処理などを施して画像処理ＤＳＰ４に供給するとともに、上記の各種の制御データをデッキ制御マイコン８に供給する。画像処理ＤＳＰ４は、Ｙ信号及びＲ−Ｙ，Ｂ−Ｙ信号をＹ信号と色（Ｃ）信号のコンポーネント信号あるいはコンポジット信号に変換して、Ｄ／Ａ変換器１７に出力する。
【００１２】
Ｄ／Ａ変換器１７は、入力信号をアナログ信号に変換し、ＡＶ出力部１８は液晶表示部とスピーカなどを有し、それぞれが映像信号及び音声信号を出力する。デッキ制御マイコン８に入力された制御データは、中央処理マイコン５に入力される。制御データの内、タイムコードや日時情報などは表示情報として画像処理ＤＳＰ４に入力され、映像信号に重畳される。
【００１３】
＜静止画記録再生動作＞
本発明のビデオカメラにおいては、操作部６によって動画記録の指示がなされた際、撮影した初期画像（記録開始時の映像）を静止画としてメモリカード１６に記録するようにしている。前述のように、操作部６より動画記録の指示信号が中央処理マイコン５に入力されると、中央処理マイコン５は、静止画記録再生制御マイコン１４に静止画記録を行うよう制御信号を供給する。静止画記録再生制御マイコン１４は、メモリカード１６への静止画の記録再生を行う静止画記録再生部ＳＣを制御する制御部である。
【００１４】
画像処理ＤＳＰ４で生成したＹ信号及びＲ−Ｙ，Ｂ−Ｙ信号は、静止画ＤＳＰ１２に入力される。静止画ＤＳＰ１２に入力された映像信号は、いったんＳＤＲＡＭ１３に蓄えられ、静止画ＤＳＰ１２は、ＳＤＲＡＭ１３からの映像信号にＪＰＥＧ圧縮処理を施し、Ｒ，Ｇ，Ｂ信号として静止画記録再生制御マイコン１４に供給する。静止画記録再生制御マイコン１４は、インタフェース（Ｉ／Ｆ）部１５を介して、メモリカード１６にＪＰＥＧの静止画ファイルを書き込む。静止画ＤＳＰ１２からＩ／Ｆ部１５までは、静止画記録再生部ＳＣを構成している。
【００１５】
一方、操作部６によって、メモリカード１６に記録された静止画の再生の指示がなされると、静止画ファイルはＩ／Ｆ部１５及び静止画記録再生制御マイコン１４を介して静止画ＤＳＰ１２に入力される。静止画ＤＳＰ１２に入力された静止画はいったんＳＤＲＡＭ１３に蓄えられ、静止画ＤＳＰ１２は、ＳＤＲＡＭ１３からの静止画にＪＰＥＧ伸長処理を施し、画像処理ＤＳＰ４に出力する。画像処理ＤＳＰ４は静止画のＹ，Ｃ信号をＤ／Ａ変換器１７に出力する。Ｄ／Ａ変換器１７は、入力信号をアナログ信号に変換し、ＡＶ出力部１８は、静止画の映像信号を出力する。
【００１６】
静止画の画像サイズや日時情報などの各種の制御データは、静止画ＤＳＰ１２から静止画記録再生制御マイコン１４へと戻される。静止画記録再生制御マイコン１４に入力された制御データは、中央処理マイコン５に入力される。制御データの内、日時情報などは表示情報として画像処理ＤＳＰ４に入力され、映像信号に重畳される。
【００１７】
ところで、近年、ビデオカメラやデジタルスチルカメラにおいては、メモリカード１６として、何度も書き込み可能であるので便利な一方、高価なフラッシュメモリと、安価であるが１回のみ書き込みが可能なライトワンスメモリを同じスロットに着脱自在に構成することが考えられる。しかしながら、ユーザがライトワンスメモリに間違って書き込みを行うと、そのライトワンスメモリに書き込みが行われたエリアは書き換え及び消去が不能となる。そこで、本実施形態では、ライトワンスメモリが装着されている場合には、２段の静止画取り込みボタンの１段目が押されたときには画像取り込みを行ってプレビュー画を表示し、２段目が押されることなく１段目が離されたときには静止画データを書き込まないようにしたものである。
【００１８】
まず、図２において、電源が投入されるか又はメモリカード１６が挿入されると（ステップＳ１）、メモリカード１６に対して種別判別コマンドを発行してメモリカード１６の種別を判別し、フラッシュメモリカードであればフラッシュメモリモードに移行し（ステップＳ２→Ｓ３）、フラッシュメモリカードでなければライトワンスメモリモードに移行する（ステップＳ２→Ｓ４）。そして、表示器のＯＳＤ（オンスクリーンディスプレイ）により、ライトワンスメモリモード時には図３（ａ）に示すような表示を行い、フラッシュメモリモード時には図３（ｂ）に示すような表示を行ってユーザにメモリモードを報知する。
【００１９】
ここで、ライトワンスメモリの書き込み時の消費電力はフラッシュメモリより大きいので、書き込み中にバッテリ電力がなくなると、壊れたファイルが作成されてしまい、書き込みエリアが無駄になる。そこで、図４に示すように、ライトワンスメモリモード時に例えばバッテリの残量が３分以下になると（ステップＳ１１）、メモリへの書き込み中か否かを判断し（ステップＳ１２）、書き込み中であれば書き込み中のファイルへのアクセスを中断し（ステップＳ１３）、次いでステップＳ１４に進む。ステップＳ１２において書き込み中でなければ直接、ステップＳ１４に進む。ステップＳ１４では、例えばシャッタボタンのような静止画取り込みボタンの受け付けを禁止し、また、図５に示すように表示器のＯＳＤにより、バッテリマーク「ＢＡＴＴＥＲＹ　ＬＯＷ」を赤で点滅してユーザに警告する。また、ステップＳ１３において中断する場合にもその旨をユーザに報知する。
【００２０】
図６はライトワンスメモリモード時に操作部６の静止画取り込みボタンが押された場合の処理を示している。ここで、静止画取り込みボタンは２段で構成され、１段目ではフォーカスをロックして画像を取り込み、プレビュー画を表示し、、２段目で書き込みを行う。また、デジタルスチルカメラの静止画取り込みボタンとして、通常のフラッシュメモリ時には半押し状態でフォーカスをロックし、全押し状態で撮像を行うシャッタボタンを用いることができるので、安価に構成することができ、また、操作が複雑になることもない。図６において、まず、静止画取り込みボタンの１段目（１段目ＳＷがオン）が押されたか否かを判断し（ステップＳ２１）、押された場合には静止画データ（ＤＡＴＡ）を図１に示すＳＤＲＡＭ１３に取り込み、これをＡＶ出力部に出力することによりプレビュー画面を表示する（ステップＳ２１→Ｓ２２）。
【００２１】
次いで１段目が離されたか否かを判断し（ステップＳ２３）、１段目が離されていない場合には、所定時間以内に２段目（２段目ＳＷがオン）が押されたか否かを判断し（ステップＳ２４）、押された場合には静止画データをＳＤＲＡＭ１３に取り込み、これをメモリカード１６すなわちライトワンスメモリに書き込む。ステップＳ２３において１段目が離された場合、すなわち２段目が押されることなく１段目が離された場合には取り込みデータを破棄し、メモリカード１６すなわちライトワンスメモリには書き込まない。
【００２２】
ここで、ライトワンスメモリの書き込み済みエリアは、消去、書き換えができないが、ユーザがメモリカード１６の種類を勘違いしていたり、無駄な操作を行うことがある。そこで、ライトワンスメモリモード時にはオンスクリーンメニュー上の操作不可の機能表示の色を変えて操作不可機能をユーザに報知すると便利である。ここで、ライトワンスメモリモード時の操作不可機能は、以下の通りである。
▲１▼ＦＯＲＭＡＴ：メモリカードの全消去あるいは初期化。
▲２▼ＰＲＯＴＥＣＴ：画像データの削除禁止。
▲３▼ＤＥＬＥＴＥ：画像データの削除。
▲４▼ＤＰＯＦ設定：デジタル・プリント・オーダ・フォーマットのプリント枚数設定。
また、これらの機能がスイッチに割り付けられている場合には、その受け付けを禁止する。
【００２３】
【発明の効果】
以上説明したように本発明によれば、記録媒体の判別を行い、書き込みが１回のみ可能な記録媒体が装着されていると判別した場合、第１のスイッチが押された状態で第２のスイッチが押されることなく第１のスイッチが離されたときには静止画データを記録媒体に書き込まないようにしたので、何度も書き込み可能なメモリと１回のみ書き込みが可能なメモリをユーザが使用する場合に使い勝手を向上させることができる。
【図面の簡単な説明】
【図１】本発明に係るデジタルカメラの一実施形態としてデジタルビデオカメラを示すブロック図である。
【図２】図１のデジタルカメラのメモリカード種類判別処理を説明するためのフローチャートである。
【図３】図１のデジタルカメラのメモリカード種類表示画面を示す説明図である。
【図４】図１のデジタルカメラにおいてバッテリ残量が少ない場合の処理を説明するためのフローチャートである。
【図５】バッテリ残量が少ない場合の表示画面を示す説明図である。
【図６】図１のデジタルカメラの静止画データの書き込み処理を説明するためのフローチャートである。
【符号の説明】
５　中央処理マイコン
６　操作部
１６　メモリカード
【図１】
2004064677.tif 000003
【図２】
2004064677.tif 000004
【図３】
2004064677.tif 000005
【図４】
2004064677.tif 000006
【図５】
2004064677.tif 000007
【図６】
2004064677.tif 000008